(57)【要約】【課題】 圧力計感知部品の調節可能構造を提供する。【解決手段】主に圧力計感知部品の調節可能構造の指針式圧力計に感知部品を設置し、該感知部品は指針と非接触式感知関係を呈する。該指針が該感知部品を越えると、該感知部品により電子信号を出力し、こうして自動警告表示の機能と効果を達成する。本考案は感知部品の調整構造を新たに開発し、圧力計パネルの適当な位置に設置するスライド槽を利用し、該感知部品はスライド移動部品を通してスライド槽内に連結し、該感知部品は該スライド槽間においてスライド移動が可能となり、必要に応じて位置の調整を行うことができる。本考案構造は理想的でコストが低く、調整は便利で、産業上の利用価値を備える。【選択図】図２
0003134326.tif 000002
【実用新案登録請求の範囲】
【請求項１】
主に圧力計感知部品の調節可能構造の該圧力計は本体、少なくとも一個の感知部品を含み、該本体はコネクターを連接し、本体前縁にはパネルを設置し、該パネル上には軸心を通して指針を設置し、該パネル週縁にはスライド槽を設置し、中心には開口部を設置し、該少なくとも一個の感知部品は指針の状態の検知に用い、該感知部品はスライド移動部品を連結し、該スライド移動部品は該パネルのスライド槽内に連結し、移動を行うことができ、該スライド移動部品の適当な位置には挟持部を設置し、それにより該パネル辺縁において挟持することを特徴とする圧力計感知部品の調節可能構造。
【請求項２】
前記スライド槽は弧状であることを特徴とする請求項１記載の圧力計感知部品の調節可能構造。
【請求項３】
前記スライド槽は該指針の軸に相対し等距離関係を呈することを特徴とする請求項１或いは請求項２記載の圧力計感知部品の調節可能構造。
【請求項４】
前記本体前縁には前ハウジングを設置し、該前ハウジングは透明材質により製造することを特徴とする請求項１記載の圧力計感知部品の調節可能構造。
【請求項５】
前記スライド移動部品はさらに延伸板を設置し、該延伸板末端にはフック部を備え、該延伸板を該パネル背面に密着させ、しかも該フック部を該パネル中央の開口部に係合することで、該スライド移動部品を定位することを特徴とする請求項１記載の圧力計感知部品の調節可能構造。
【請求項６】
前記感知部品は回路板と電子配線を配置し本体内部に連接する必要があることを特徴とする請求項１記載の圧力計感知部品の調節可能構造。
【請求項７】
前記感知部品とスライド移動部品は一体式構造であることを特徴とする請求項１記載の圧力計感知部品の調節可能構造。
【考案の詳細な説明】
【技術分野】
【０００１】
本考案は一種の圧力計感知部品の調節可能構造に関する。特に一種の指針式圧力計において、感知部品の位置を調整可能な構造を提供し、特に該感知部品はパネル外周のスライド槽において調整と設置を行う圧力計感知部品の調節可能構造に係る。
【背景技術】
【０００２】
圧力計などの現在の計量メーターは事故の発生を避けるために、必要に応じて計量メーター中に感知部品を設置することができる。これにより圧力が設定値を超過すると、該感知部品は指針状態を検知し、自動通報、圧力制御或いは緊急処置等の対応措置を採ることができる。伝統的には「ブルドン管構造」を採用する計量メーターは、接触式接点感知を採用するため、以下の欠点が存在する。
【０００３】
接触式接点感知を採用するため、接点接触後に火花が散り、長期の使用により接点は酸化し、接触不良を形成し、信号出力の安定度に影響を及ぼし、さらには長期的に酸化が激しくなると、接点は断裂、破損してしまう。
【０００４】
接触式接点感知を採用するため、接点接触後は火花が散り、よって火気厳禁の工場や場所において使用することができない。これでは使用可能な場合が極めて大きく制限されてしまう。
【０００５】
公知接触式接点感知構造に存在する重大な欠点に鑑み、考案人は特に本考案を開発した。本考案の提出により理想的で安全で、非接触式感知と自動通報等機能を備える構造を提供し実際のニーズに応えることを期する。
【考案の開示】
【考案が解決しようとする課題】
【０００６】
本考案は上記構造の問題点を解決した圧力計感知部品の調節可能構造を提供するものである。
【課題を解決するための手段】
【０００７】
上記課題を解決するため、本考案は下記の圧力計感知部品の調節可能構造を提供する。
【０００８】
本考案圧力計感知部品の調節可能構造の主要な目的は圧力計中感知部品の調整構造に解決方策を提供し、利用在パネル中の適当な位置にスライド槽を設置し、感知部品をスライド移動部品を通して該スライド槽内に連結することにより、該感知部品はスライド槽間においてスライド移動と定位が可能となり、こうして、必要に応じて感知部品の位置調整と固定作用を行うことができる。
【０００９】
前記パネル中の適当な位置に設置するスライド槽は、指針軸心と等距離の弧形関係を形成し、これにより、該スライド槽内に設置する感知部品は、該スライド移動部品を通して該スライド槽に相対し移動が可能で、こうして位置の調整が可能となる。
【００１０】
本考案の具体的な機能と効果は、構造が簡易であるため、製造と組み立てが便利でコストが低廉で、使用時には調整が便利で、非常に理想的で実用的で、産業上の利用価値を備える。
【００１１】
前記感知部品は該スライド移動部品を通して、該スライド槽内においてスライド移動が可能で、該スライド移動部品の適当な位置には挟持部を設置し、パネル辺縁において挟持可能で、しかも該スライド移動部品はさらに延伸板を設置し、該延伸板末端にはさらにフック部を備え、該延伸板を該パネル背面に密着させ、しかも該フック部を該パネル中央の開口部に係合することで、スライド移動部品は該パネル位置において適当に定位される圧力計感知部品の調節可能構造を提供する。
【考案の効果】
【００１２】
上記のように、本考案の感知部品はパネル外周のスライド槽において調整と設置を行うことができる。
【考案を実施するための最良の形態】
【００１３】
本考案圧力計感知部品の調節可能構造の実質内容及びそれが生産する機能と効果に関して、図を用い、本考案の最適実施例について以下に詳細に説明する。
【００１４】
図１、図２、図３、図４に示すように、本考案圧力計感知部品の調節可能構造の該圧力計1は本体2、指針3、前ハウジング4、感知部品5を含む。
【００１５】
該本体2下方にはコネクター21を設置し、該コネクター21を利用し圧力を入力し、こうして該本体2内部では圧力値を測定可能となる。該本体2前縁にはパネル22を設置し、該パネル22の適当な位置にはスライド槽23を設置し、該スライド槽23はおよそ弧状を呈し、また該パネル22中央には開口部24を開設する。
【００１６】
該指針3は軸心を通して31該本体2前縁に設置し、これにより該本体2の圧力値は該パネル22に対応し指示される。
【００１７】
該前ハウジング4は該本体2前縁に設置し、透明材質により製成することが最適である。
【００１８】
該感知部品5は該指針3の通過状態を検知可能で、該感知部品5はスライド移動部品6を連結し、該スライド移動部品6は該スライド槽23間に組立てられ、移動を行うことができる。該スライド移動部品6の適当な位置には挟持部61を設置し、該パネル22辺縁において挟持し、しかも該スライド移動部品6はさらに延伸板62を設置することができる。
【００１９】
該延伸板62末端にはフック部63を備え、該延伸板62を該パネル22背面に密着させ、しかも該フック部63を該パネル22中央の開口部24に係合させることで、該スライド移動部品6は適当に定位される。該感知部品5は別に回路板7と電子配線を配置し該本体1内部に連接する必要がある。
【００２０】
これにより、該感知部品5の位置を調整する必要がある時には、先ず該前ハウジング4を該本体2位置から離し、該スライド移動部品6の該スライド槽23の位置に相対する調整を通して、簡単に調整を行うことができる。実務上は、該調整は経常的なものではないため、該前ハウジング4の取り外しは面倒ではない。
【００２１】
該指針3、該感知部品5、該スライド移動部品6の数は同一圧力計1中において必要に応じて一個或いは２組設置することができる。２個の感知部品5を設置する目的は正常区間を形成するためで、該指針3が２個の感知部品5の区間内にある時には、正常状態と見なす。反対に、該指針3が任一の感知部品5を越えると、圧力値が高過ぎる或いは低過ぎることを示し、この時には異常状態と見なし、該感知部品5は該回路板7と該電子配線を通して自動的に電子信号を発し、さらには警報音或いはライトを発し、緊急対応のための警告の表示を行う。
【００２２】
さらに図５、図６に示すように、本考案の別種の実施例の前実施例との差異は、該指針3は２組が重なって設置され、異なる高度の感知部品5に対応し感知を行うことである。
【００２３】
本考案中の感知部品とスライド移動部品は一体式構造である。
【図面の簡単な説明】
【００２４】
【図１】本考案の局部立体分解図
【図２】本考案パネル、感知部品、スライド移動部品組合せの立体指示図
【図３】本考案の正面調整状態指示図
【図４】本考案の断面構造指示図
【図５】本考案別種の実施例の局部立体外観図
【図６】本考案別種の実施例の断面構造指示図
【符号の説明】
【００２５】
１    圧力計
２    本体
２１  コネクター
２２  パネル
２３  スライド槽
２４  開口部
３    指針
３１  軸心
４    前ハウジング
５    感知部品
６    スライド移動部品
６１  挟持部
６２  延伸板
６３  フック部
７    回路板
【図１】
0003134326.tif 000003
【図２】
0003134326.tif 000004
【図３】
0003134326.tif 000005
【図４】
0003134326.tif 000006
【図５】
0003134326.tif 000007
【図６】
0003134326.tif 000008